(57)【特許請求の範囲】
【請求項１】
断面略Ｘ状をなすクロス部材の両端に断面略四角形乃至は円形をなす部分周壁を形成した枠部材を、正面視略矩形状をなすスクリ−ンパネルの枠体に形成する一方、前記枠部材のクロス部材と部分周壁とが形成する溝に、前記枠体に張設すべき柔軟なスクリ−ン素材、又は、硬質のスクリ−ン素材の四周を着脱可能に係着保持させたことを特徴とするスクリ−ンパネル。
【請求項２】
スクリ−ン素材は、サランネット，透過性布地材，全面又は部分的にパンチング加工穴を有する板，穴を設けない板のいずれかである請求項１のスクリ−ンパネル。
【請求項３】
枠体の左右外面に位置する溝の一部を拡幅形成し、この拡幅部から樹脂製ジョイナ−を溝内に収挿してスクリ−ンパネル同士を左，右方向に連結した請求項１又は２のスクリ−ンパネル。
【発明の詳細な説明】
【０００１】
【発明の属する技術分野】
本発明は種々のスクリ−ン素材を選択して張設することができるようにしたスクリ−ンパネルに関するものである。
【０００２】
【従来の技術】
従来より、設置タイプの間仕切パネルより簡易な構造で、取扱いも簡便なパネル状或は衝立状をなす遮蔽体（以下、スクリ−ンパネルという）が、デスク等の天板に取付けたり、オフィスの床に置いて使用されている。
【０００３】
しかし、従来の衝立状、或は、デスクパネル状をなすスクリ−ンパネルは、フレ−ム構造が区々であるのみならず、そのフレ−ムに張設されるスクリ−ン素材が固定されていて、それを自由に交換することができる構造でないため、例えば、遮光用のスクリ−ン素材を採光用のスクリ−ン素材に簡単に変更することはできなかった。従って、デスク等をオフィス内で移動してスクリ−ンパネルの機能を変えたい場合、そのパネル全体を取替えなければならないという問題がある。
【０００４】
【発明が解決しようとする課題】
本発明は上記のような点に鑑み、種々のスクリ−ン素材を自由に取替えることができるようにしたスクリ−ンパネルを提供することを課題とするものである。
【０００５】
【課題を解決するための手段】
上記課題を解決することを目的としてなされた本発明スクリ−ンパネルの構成は、断面略Ｘ状をなすクロス部材の両端に断面略四角形乃至は円形をなす部分周壁を形成した枠部材を、正面視略矩形状をなすスクリ−ンパネルの枠体に形成する一方、前記枠部材のクロス部材と部分周壁とが形成する溝に、前記枠体に張設すべき柔軟なスクリ−ン素材、又は、硬質のスクリ−ン素材の四周を着脱可能に係着保持させたことを特徴とするものである。
【０００６】
本発明スクリ−ンパネルは、上記構成において、スクリ−ン素材にサランネット，透過性布地材，パンチング加工穴を設けた金属，合成樹脂，木質系のいずれかの板，樹脂製板ガラスのような板材であって穴を設けない板のいずれかを任意に選択して枠体に取替え自在に取付けることができる。また、枠体の左，右の外側に位置する溝の一部を拡幅して、その部から合成樹脂製ジョイナ−を溝に挿入することにより、本発明スクリ−ンパネル同士を左，右方向に折畳自在に連結することができる。
【０００７】
【発明の実施の形態】
次に本発明スクリ−ンパネルの実施の形態例について説明する。図１は本発明スクリ−ンパネルを衝立状に形成した例の正面図、図２は図１のパネルを平面から視て弯曲させて形成した例の側面図、図３は図１のパネルの要部を拡大した正面図、図４は図３のパネルの側面図、図５は図４のパネルのＡ−Ａ矢視断面図である。
【０００８】
図において、１は、本発明スクリ−ンパネルの枠体Ｆを形成する枠部材で、この枠部材１は、断面略Ｘ状をなすクロス部材1a，1bと、両クロス部材1a，1bの両端には部分周壁となる周壁部1cが、全体として円形乃至は四角形をなすように形成されており、この構成によりクロス部材1a，1bの周囲に四方向の溝1d，1e，1f，1gを有する枠部材１に形成されている。
【０００９】
上記の枠部材１は、図１に例示すように正面から視て縦長の長方形に形成することにより、本発明スクリ−ンパネルの枠体Ｆに形成される。図１において、1hは枠体Ｆにおける枠部材１の接ぎ目で、スクリ−ンパネルが平坦である場合は枠体Ｆの下部又は、上，下部に位置付け、スクリ−ンパネルが図２に例示するように弯曲された枠体Ｆにより形成される場合には、この枠体Ｆの左，右の一側又は両側に位置付ける。図１，図２の枠体Ｆは、その下部辺の左，右に短柱状の足２，２を、ここではビス2bにより設け、この足２，２の下端に、ここではボ−ルキャスタ2a，2aを収装している。
【００１０】
上記のように形成される枠体Ｆは、その枠体Ｆの内，外面、及び、前後面に溝1d，1f、溝1e，1gを具備するので、スクリ−ン素材はこれらの溝1d〜1gを利用して取付けられる。即ち、スクリ−ン素材がそれ自体で剛性のある板状スクリ−ン素材３であるときは、枠体Ｆの内周面に形成された溝1dに、板状スクリ−ン素材３の外周を嵌合させて、この素材３を枠体Ｆに取付ける。なお、3aは前記素材３の外周に設けた断面略凹状の嵌合縁部材である。
【００１１】
一方、スクリ−ン素材がサランネットや布地等の柔軟スクリ−ン素材４であるときは、枠体Ｆの前面又は後面に位置する溝1e又は1gを利用して取付ける。柔軟なスクリ−ン素材４は、それだけで溝1e又は1gに嵌合保持できないから、そのための芯材５に当該素材４の周縁を保持させた状態で、芯材５ごと溝1e又は1gに嵌合して保持させる。
【００１２】
なお、柔軟スクリ−ン素材４は、溝1eと1ｇの両方に保持させて、枠体Ｆの前後両面に張設してもよく、或は、枠体Ｆの外面の溝1fに、柔軟スクリ−ン素材４の一枚を保持させたり、枠体Ｆの前後に張設される２枚のスクリ−ン素材４を前記溝1fに保持させるようにしてもよい。また、溝1dと溝1g又は1e、或は、これらの溝1d，1g，1eのすべてにスクリ−ン素材３，４を張設することも可能である。
【００１３】
本発明スクリ−ンパネルは上記のいずれの形態により張設したスクリ−ン素材３又は同４であっても、スクリ−ン素材３又は同４を、その周縁を嵌合，保持している枠体Ｆの溝から外して、他のスクリ−ン素材３又は同４に張り替えることができる。
【００１４】
本発明スクリ−ンパネルの枠体Ｆにおいて、その枠体Ｆの外周に位置した溝1fのうち、枠体Ｆの左，右側に位置した溝1fの例えば、上，下２箇所を拡幅部６に形成し、この拡幅部６から、例えば、ポリプロピレン製のジョイナ−７を溝1f内に入れて、その溝1f内を上方又は下方に少しスライドさせることにより、このジョイナ−７を介して、同じ構造のスクリ−ンパネル同士を折畳自在に左，右方向に連結することができる。ジョイナ−７において、7a，7bは翼状本体7cの左，右に形成した溝1fへの嵌合辺、7dは本体7cの中間に形成した折曲げ部である。
【００１５】
上述の本発明スクリ−ンパネルにおいて枠体Ｆの正面形状は、長方形，正方形等の正矩形のみならず、上部辺を弯曲させた変形四角形、或は、上，下部辺を、双方とも平行に上方へ弯曲させた扇形など、任意の正面形状に形成したものであってもよい。
【００１６】
【発明の効果】
本発明は以上の通りであって、断面の四方に溝を有する枠部材によってスクリ−ンパネルの枠体を形成したから、スクリ−ン素材が柔軟なシ−ト材であっても、硬質の板材であっても、これらのいずれかを、又は、組合せた状態で前記溝に支持させて自由に取付けることができ、また、溝に取付けたスクリ−ン素材の取替えも自在になし得るという格別の効果が得られる。
【００１７】
従って、本発明スクリ−ンパネルは、それが一つあればスクリ−ン素材の張り替えによって遮光タイプから採光タイプへの切替えが容易にでき、また、同じタイプのパネルであっても、スクリ−ン素材の材質を適宜選択することにより、パネル面を硬い雰囲気からソフトな雰囲気まで、自由に演出することができるので、オフィス用の衝立タイプのスクリ−ンパネル、或は、デスク等の天板に設置するスクリ−ンパネルとしてきわめて有用である。
【図面の簡単な説明】
【図１】本発明スクリ−ンパネルを衝立状に形成した例の正面図。
【図２】図１のパネルを平面から視て弯曲させて形成した例の側面図。
【図３】図１のパネルの要部を拡大した正面図。
【図４】図３のパネルの側面図。
【図５】図４のパネルのＡ−Ａ矢視断面図。
【符号の説明】
１        枠部材
1a，1b    クロス部材
1c        部分周壁
Ｆ        枠体
２        足
３        硬質なスクリ−ン
４        柔軟なスクリ−ン
５        芯材
６        拡幅部
７        ジョイナ−
【図１】
0003896182.tif 000002
【図２】
0003896182.tif 000003
【図３】
0003896182.tif 000004
【図４】
0003896182.tif 000005
【図５】
0003896182.tif 000006